(57)【要約】      （修正有）【課題】流体管の側面に設けられた分岐口を密栓できるとともに、取り扱いが容易で作業を簡単にできる密栓装置を提供する。【解決手段】押圧部材６が、頂板部を貫通して雄ねじ部４１に螺合する雌ねじ部６２と、シール部材２０の後方に配置される外筒部６３とを有する。本体部材７は、外筒部６３に嵌入される内筒部７２と、内筒部７２から外周側に突出してシール部材２０の前方に配置される突出部７３と、シール部材２０よりも前方に設けられた抜け止め部７４とを有する。軸方向ＡＤに対して傾斜して延びるガイド突起５４が拡張部材５に設けられるとともに、それに嵌合するガイド溝が抜け止め部７４に設けられる。抜け止め部７４は、本体部材７に対する拡張部材５の相対的な軸方向移動に応じて、分岐口の管内面に係止しうる位置と係止しない位置との間を変位する。【選択図】図６
2014134223.tif 000002
【特許請求の範囲】
【請求項１】
流体管の側面に設けられた分岐口に挿入され、前記分岐口の端面に環状のシール部材を対向させた状態で装着される密栓装置において、
雄ねじ部を有する軸部材と、
前記軸部材に対して相対的に回転しうる態様で前記軸部材の前方に取り付けられた拡張部材と、
盤状の頂板部と、前記頂板部を貫通して前記雄ねじ部に螺合する雌ねじ部と、前記頂板部から前方に延びて前記シール部材の後方に配置される外筒部とを有する押圧部材と、
前記外筒部に嵌入されるとともに前記拡張部材が挿入される内筒部と、前記内筒部から外周側に突出して前記シール部材の前方に配置される突出部と、前記シール部材よりも前方に設けられて前記分岐口の内側に配置される抜け止め部とを有する本体部材と、を備え、
軸方向に対して傾斜して延びるガイド突起又はガイド溝が前記拡張部材に設けられるとともに、それに嵌合するガイド溝又はガイド突起が前記抜け止め部に設けられ、前記本体部材に対する前記拡張部材の相対的な軸方向移動に応じて、前記分岐口の管内面に係止しうる位置と係止しない位置との間を前記抜け止め部が変位することを特徴とする密栓装置。
【請求項２】
前記内筒部に、前記拡張部材が挿入される軸孔と、その軸孔に交差して前記抜け止め部を支持する支持孔とが形成され、
前記拡張部材が、前記軸孔と前記支持孔との交差箇所に配置されて軸方向に延びる一対の側板部を有し、その側板部の内壁に前記ガイド突起又はガイド溝が形成され、
前記抜け止め部が、前記一対の側板部の間に配置される請求項１に記載の密栓装置。
【請求項３】
前記一対の側板部の内壁に形成された前記ガイド突起又はガイド溝が互いに逆向きに傾斜し、その側板部の各々に対応して設けられた一対の前記抜け止め部が、前記流体管の管軸方向に沿って互いに逆向きに変位する請求項２に記載の密栓装置。
【請求項４】
前記内筒部の後方に鉤形突起が形成され、前記頂板部に前記鉤形突起が通過しうる通過孔が形成され、
前記鉤形突起が前記通過孔を通過した状態で前記押圧部材と前記本体部材との相対的な角度をずらすことにより、両者が軸方向に係止するとともに、後方に向けて開口した凹部が前記通過孔に形成される請求項１〜３いずれか１項に記載の密栓装置。
【発明の詳細な説明】
【技術分野】
【０００１】
本発明は、流体管の側面に設けられた分岐口を密栓するための密栓装置に関する。
【背景技術】
【０００２】
既設の水道管（流体管の一例）を更新する工事では、水道水の利用者に対する利便性を考慮し、通水状態を保持しながら施工できる不断水工法が有用である。この種の不断水工法としては、既設の水道管の途中に仕切弁を介して分岐管を接続し、それによりバイパスを形成して通水状態を保持する手法が知られている。従来、かかる手法を用いた工事では、施工後に分岐管を撤去するに際して仕切弁を残置させていたため、将来同じ場所を掘削したときに重機で仕切弁を引っ掛けてしまう恐れがあった。
【０００３】
上記のような工事では、分岐管と一緒に仕切弁を撤去することが望ましいが、水道管の側面に設けられた分岐口に対して、通水状態を保持しながら密栓を施す必要があるため、作業が煩雑となる。この問題を解決するべく、特許文献１，２では、通水状態を保持したまま分岐口を密栓し、分岐管を仕切弁ごと撤去するための手法が提案されている。しかし、これらの手法では簡便且つ確実に分岐口を密栓できるものの、分岐口を構成する管分岐部にバヨネット溝を設ける必要があるため、汎用性に優れているとは言えない。
【０００４】
一方、特許文献３では、係止部材を突出させて分岐口の管内面に係止できるようにした閉塞装置が提案されている。しかしながら、この装置では、分岐口を密栓するに際して、装置自身の軸方向への移動に加え、係止部材を突出させるために軸状の操作部材を後退、前進（押圧）又は回転させ、更にはシール部材を圧縮するためにナットを回転する必要がある。かかる多様な動作を実現するため、装置とその操作機具には複雑な機構が設けられ、それらの取り扱いや密栓の作業が煩雑になる。
【先行技術文献】
【特許文献】
【０００５】
【特許文献１】特開２０１０−９６２４１号公報
【特許文献２】特開２０１０−１１７０２９号公報
【特許文献３】特開平７−２１７７８４号公報
【発明の概要】
【発明が解決しようとする課題】
【０００６】
本発明は上記実情に鑑みてなされたものであり、その目的は、流体管の側面に設けられた分岐口を密栓できるとともに、取り扱いが容易で作業を簡単にできる密栓装置を提供することにある。
【課題を解決するための手段】
【０００７】
上記目的は、下記の如き本発明により達成できる。即ち、本発明に係る密栓装置は、流体管の側面に設けられた分岐口に挿入され、前記分岐口の端面に環状のシール部材を対向させた状態で装着される密栓装置において、雄ねじ部を有する軸部材と、前記軸部材に対して相対的に回転しうる態様で前記軸部材の前方に取り付けられた拡張部材と、盤状の頂板部と、前記頂板部を貫通して前記雄ねじ部に螺合する雌ねじ部と、前記頂板部から前方に延びて前記シール部材の後方に配置される外筒部とを有する押圧部材と、前記外筒部に嵌入されるとともに前記拡張部材が挿入される内筒部と、前記内筒部から外周側に突出して前記シール部材の前方に配置される突出部と、前記シール部材よりも前方に設けられて前記分岐口の内側に配置される抜け止め部とを有する本体部材と、を備え、軸方向に対して傾斜して延びるガイド突起又はガイド溝が前記拡張部材に設けられるとともに、それに嵌合するガイド溝又はガイド突起が前記抜け止め部に設けられ、前記本体部材に対する前記拡張部材の相対的な軸方向移動に応じて、前記分岐口の管内面に係止しうる位置と係止しない位置との間を前記抜け止め部が変位するものである。
【０００８】
この密栓装置は、流体管の側面に設けられた分岐口に挿入され、その分岐口の端面に環状のシール部材を対向させた状態で装着される。シール部材よりも前方には、分岐口の内側に配置される抜け止め部が設けられる。本体部材に対して拡張部材を相対的に軸方向移動させると、分岐口の管内面に係止しうる位置と係止しない位置との間で抜け止め部が変位し、その抜け止め部を分岐口の管内面に係止させることにより、分岐口に挿入した密栓装置の抜け出しを防止できる。
【０００９】
押圧部材を軸方向に位置決めした状態で軸部材を回転させると、雄ねじ部と雌ねじ部との作用によって、軸部材とそれに取り付けられた拡張部材が軸方向に移動する。これにより、本体部材に対して拡張部材が相対的に軸方向へ移動し、抜け止め部が変位する。また、分岐口の管内面に抜け止め部を係止させた状態で軸部材を回転させると、本体部材に対して押圧部材が相対的に軸方向へ移動し、シール部材が圧縮される。このように、抜け止め部の変位もシール部材の圧縮も、軸部材の回転によって操作できる。
【００１０】
拡張部材と抜け止め部には、互いに嵌合するガイド突起及びガイド溝が設けられる。拡張部材は軸部材に対して相対的に回転しうるため、軸部材を回転しても拡張部材は回転しない。拡張部材に設けられるガイド突起又はガイド溝が軸方向に対して傾斜して延びることから、本体部材に対する拡張部材の相対的な軸方向移動に応じて、抜け止め部を上記の如く変位させることができる。以上のように、本発明の密栓装置によれば、分岐口を密栓できるとともに、その取り扱いが容易となり、密栓の作業を簡単にできる。
【００１１】
この密栓装置では、前記内筒部に、前記拡張部材が挿入される軸孔と、その軸孔に交差して前記抜け止め部を支持する支持孔とが形成され、前記拡張部材が、前記軸孔と前記支持孔との交差箇所に配置されて軸方向に延びる一対の側板部を有し、その側板部の内壁に前記ガイド突起又はガイド溝が形成され、前記抜け止め部が、前記一対の側板部の間に配置されるものが好ましい。かかる場合には、一対の側板部の間に抜け止め部が配置されることで、密栓装置をコンパクトに構成できる。
【００１２】
上記においては、前記一対の側板部の内壁に形成された前記ガイド突起又はガイド溝が互いに逆向きに傾斜し、その側板部の各々に対応して設けられた一対の前記抜け止め部が、前記流体管の管軸方向に沿って互いに逆向きに変位するものが好ましい。逆向きに変位した一対の抜け止め部を分岐口の管内面に係止させることにより、密栓装置を安定的に装着できる。
【００１３】
この密栓装置では、前記内筒部の後方に鉤形突起が形成され、前記頂板部に前記鉤形突起が通過しうる通過孔が形成され、前記鉤形突起が前記通過孔を通過した状態で前記押圧部材と前記本体部材との相対的な角度をずらすことにより、両者が軸方向に係止するとともに、後方に向けて開口した凹部が前記通過孔に形成されるものが好ましい。かかる構成では、操作機具の突起を凹部に挿入することで、押圧部材に対する本体部材の角度ずれを妨げ、延いては作業時に本体部材の脱落を防止できる。また、軸部材を回転する際に、本体部材や押圧部材が共廻りすることを防止できる。
【図面の簡単な説明】
【００１４】
【図１】水道管の分岐口の周辺を概略的に示す平面視断面図
【図２】水道管の管軸方向に沿って見た密栓装置の断面図
【図３】図２のＡ−Ａ矢視断面図
【図４】軸部材と拡張部材と抜け止め部を示す斜視図
【図５】抜け止め部の（Ａ）正面図、（Ｂ）軸方向から見た図、及び（Ｃ）変位を示す斜視図
【図６】図３の抜け止め部を変位させた様子を示す断面図
【図７】図４の抜け止め部を変位させた様子を示す斜視図
【図８】押圧部材の（Ａ）軸方向から見た図、及び（Ｂ）要部斜視図
【図９】操作機具の先端部を示す断面図
【図１０】連結部の（Ａ）窓孔のない位置、（Ｂ）窓孔のある位置、（Ｃ）窓孔にピースを嵌めた状態、及び（Ｄ）窓孔からピースが少し抜け出た状態を示す断面図
【図１１】ピースの斜視図
【図１２】分岐口に密栓装置を挿入した様子を示す平面視断面図
【図１３】分岐口の管内面に抜け止め部を係止した様子を示す平面視断面図
【図１４】図６のシール部材を圧縮した様子を示す断面図
【図１５】密栓後に蓋を装着した様子を示す平面視断面図
【図１６】本発明の別実施形態における密栓装置の断面図
【発明を実施するための最良の形態】
【００１５】
本発明の実施形態について、図面を参照しながら説明する。本実施形態では、流体管の一例である水道管を不断水工法により更新する工事において、分岐管と一緒に仕切弁を撤去する例を示す。
【００１６】
図１に示した水道管１は、管路の一部を構成し、その内部は通水状態にある。水道管１の側面には分岐口１０が設けられており、その周囲を割りＴ字管１１によって取り囲まれている。この分岐口１０は、仕切弁１２を介して接続される分岐管によりバイパスを形成する過程で、水道管１に穿孔を施して設けられたものである。図１では、既に水道管の更新を終えて分岐管を撤去した段階にあり、これから仕切弁１２を撤去するために、通水状態を保持したまま分岐口１０を密栓する作業が行われる。
【００１７】
仕切弁１２の一方の端部は割りＴ字管１１に接続され、その仕切弁１２の他方の端部は合フランジ１３に接続されている。合フランジ１３には、分岐口１０を密栓するための密栓装置２が収容されている。操作機具３は、密栓装置２を分岐口１０に挿入して操作する機能を有し、その先端部に密栓装置２を着脱することができる。操作機具３は、合フランジ１３を貫通して軸方向に摺動自在に構成された筒状の主軸３１と、主軸３１に挿入された棒状の中軸３２とを有する。
【００１８】
図２，３は、密栓装置２の内部構造を示している。密栓装置２は、後述するように分岐口１０に挿入され、その分岐口１０の端面に環状のシール部材２０を対向させた状態で装着される。本明細書において、前方とは、密栓装置２の挿入方向の前方、即ち図２，３における下方向を指し、後方とは、密栓装置２の挿入方向の後方、即ち図２，３における上方向を指す。
【００１９】
密栓装置２は、軸部材４と、拡張部材５と、シール部材２０と、押圧部材６と、本体部材７とを備える。軸部材４は、雄ねじ部４１を有するとともに、更に、その雄ねじ部４１の後方に設けられた後端部４２と、雄ねじ部４１の前方に設けられた先端部４３とを有している。先端部４３は、図２〜４のように拡張部材５の後方部分に嵌合され、その先端部４３に形成された環状溝に拡張部材５の突起５１が係合することにより、軸部材４と拡張部材５とが連結される。
【００２０】
拡張部材５は、軸部材４に対して相対的に回転しうる態様で、軸部材４の前方に取り付けられている。即ち、軸部材４の回転は拡張部材５に伝達されず、軸部材４を回転しても先端部４３が空転して拡張部材５は回転しない。拡張部材５は、全体として直方体状に形成され、先端部４３が嵌合される後方部分において突起５１を有するとともに、その前方部分では軸方向ＡＤに延びる一対の側板部５３を有する。側板部５３には、軸方向ＡＤに対して傾斜して延びるガイド突起５４が設けられている。
【００２１】
シール部材２０は、本体部材７を取り囲むようにして装着され、押圧部材６の外筒部６３と本体部材７の突出部７３との間に配置されている。シール部材２０は、分岐口１０の端面に沿うように、湾曲しながらリング状に延びている。図２，３に示したシール部材２０、押圧部材６の外筒部６３、及び、本体部材７の突出部７３は、それぞれ分岐口１０よりも小さい外径を有している。
【００２２】
押圧部材６は、盤状の頂板部６１と、頂板部６１を貫通して雄ねじ部４１に螺合する雌ねじ部６２と、頂板部６１から前方に延びて、シール部材２０の後方に配置される外筒部６３とを有する。頂板部６１は、軸方向ＡＤから見て円形をなし（図８参照）、その外周縁には分岐口１０よりも大径の鍔部６４が形成されている。外筒部６３は円筒状に形成されており、その内部には、軸方向ＡＤに延びる軸部材４及び拡張部材５と、本体部材７の内筒部７２が収容されている。
【００２３】
本体部材７は、外筒部６３に嵌入されるとともに拡張部材５が挿入される内筒部７２と、内筒部７２から外周側に突出してシール部材２０の前方に配置される突出部７３と、シール部材２０よりも前方に設けられた抜け止め部７４とを有する。拡張部材５が挿入される軸孔７１は、拡張部材５に対応した角孔として形成されており、その後方には軸部材４が貫通する丸孔が形成されている。この丸孔には雌ねじが形成されておらず、軸部材４の雄ねじ部４１は本体部材７に螺合していない。
【００２４】
図５に示すように、抜け止め部７４には、拡張部材５に設けられたガイド突起５４に嵌合するガイド溝７６が設けられている。図３，６では、ガイド突起５４とガイド溝７６の位置が分かる態様で抜け止め部７４を描いている。分岐口１０を密栓する際、抜け止め部７４は分岐口１０の内側に配置される（図１２，１３参照）。抜け止め部７４は、本体部材７に対する拡張部材５の相対的な軸方向移動に応じて、分岐口１０の管内面に係止しうる位置と係止しない位置との間を変位する。
【００２５】
即ち、図３，４において、押圧部材６（図４では不図示）を軸方向に位置決めした状態で軸部材４を回転し、雄ねじ部４１と雌ねじ部６２との作用により軸部材４を上昇させると、本体部材７に対して拡張部材５が相対的に軸方向へ移動し、ガイド溝７６がガイド突起５４に沿って摺動して、図６，７のように抜け止め部７４が外周側に突出する。また、その状態から軸部材４を下降させると、図３，４のように抜け止め部７４は元の位置に戻る。軸方向ＡＤに延びる側板部５３にガイド突起５４を設けていることで、摺動ストロークを確保して抜け止め部７４を十分に拡張できる。
【００２６】
内筒部７２には、拡張部材５が挿入される軸孔７１に加え、その軸孔７１に交差して抜け止め部７４を支持する支持孔７７が形成されている。一対の側板部５３は、その軸孔７１と支持孔７７との交差箇所に配置されている。ガイド突起５４は側板部５３の内壁に形成され、一対の側板部５３の間に抜け止め部７４が配置されている。一対の側板部５３の内壁に形成されたガイド突起５４は、互いに逆向きに且つ軸方向ＡＤに対して抜け止め部７４の変位方向に傾斜している。その側板部５３の各々に対応して設けられた一対の抜け止め部７４は、水道管１の管軸方向に沿って互いに逆向きに変位する（図１３参照）。
【００２７】
内筒部７２の後方には鉤形突起７８が形成されており、図８に示すように頂板部６１には鉤形突起７８が通過しうる通過孔６５が形成されている。鉤形突起７８が通過孔６５を通過した状態で押圧部材６と本体部材７との相対的な角度をずらすことにより、両者は軸方向に係止するとともに、後方に向けて開口した凹部６６が通過孔６５に形成される。後述する操作機具３の突起８１を凹部６６に挿入することで、押圧部材６に対する本体部材７の角度ずれを妨げ、延いては作業時に本体部材７の脱落を防止できる。
【００２８】
図１のように、操作機具３の後端部には、主軸３１に外嵌固定されたバー３３と、中軸３２に連結されたハンドル３４と、主軸３１に対する中軸３２の相対的な軸方向移動を規制するプランジャ３５とが設けられている。また、図９のように、操作機具３の先端部には、主軸３１の先端に取り付けられた筒状部８０と、中軸３２の先端に取り付けられた筒状の連結部９０とが設けられている。筒状部８０の後端側における主軸３１と中軸３２との間には、中軸３２の心出しを行うための調心部材３６が装着されている。
【００２９】
筒状部８０は、先端から突出して凹部６６に挿入される一対の突起８１（図示は片方のみ）と、相対的に内径が大きいソケット部８２と、ソケット部８２よりも内径が小さい円筒状の小径部８３とを有する。連結部９０は筒状部８０に挿入され、ソケット部８２に対する隙間が相応の大きさを有するのに対し、小径部８３に対する隙間は微小である。連結部９０には、図４，７に示される俵形状の後端部４２が嵌入され、それらが軸方向に係合可能に構成されている。このように、主軸３１は押圧部材６に連結され、中軸３２は軸部材４に連結される。
【００３０】
図１０のように、連結部９０には、後端部４２に対応した俵形状の嵌入孔９２が軸方向に形成され、その後端部４２の窪み４４（図２〜４参照）に対向する位置では、（Ｂ）のような窓孔９３が設けられている。窓孔９３には図１１に示したピース９４が嵌め込まれ、（Ｃ）のように連結部９０の外面が揃っている状態では、嵌入孔９２の上下部分を隠すようにピース９４が侵入する。これによってピース９４が窪み４４に入り込み、後端部４２に連結部９０が係合する。一方、（Ｄ）のようにピース９４が少し抜け出ると、後端部４２が嵌入孔９２内を移動可能となり、後端部４２に連結部９０が係合しない。
【００３１】
操作機具３に密栓装置２を取り付けるには、まず、図９の中軸３２を少し前進させてピース９４をソケット部８２内に配置し、軸部材４の後端部４２を連結部９０の嵌入孔９２に嵌入する。このとき、図１０（Ｄ）の如くピース９４が外側に移動するため、後端部４２が嵌入孔９２の奥まで到達し、窪み４４にピース９４が入り込む。続いて、中軸３２を少し後退させて、図９のようにピース９４を小径部８３内に配置する。これによりピース９４が図１０（Ｃ）の状態で位置決めされ、連結部９０に軸部材４を連結固定できる。
【００３２】
以下、この密栓装置２によって分岐口１０を密栓する手順について説明する。まずは密栓装置２を操作機具３に取り付け、図１のように組み立てる。主軸３１に対する中軸３２の相対的な軸方向移動は、プランジャ３５によって規制される。次に、図１２のように仕切弁１２を開放して操作機具３を押し込み、前方に移動させた密栓装置２を分岐口１０に挿入する。このとき、押圧部材６の鍔部６４が水道管１の外面に当接し、密栓装置２が軸方向に位置決めされる。この例では、レバーブロック（登録商標）などの連結具１４によりバー３３を合フランジ１３に連結して、水圧による反力を受け止めている。
【００３３】
続いて、ハンドル３４の操作により中軸３２を回転し、密栓装置２の軸部材４を回転させる。押圧部材６が軸方向に位置決めされているため、雄ねじ部４１と雌ねじ部６２との作用によって軸部材４が後方に移動する。これにより、本体部材７に対して拡張部材５が相対的に軸方向へ移動し、それに応じて抜け止め部７４が分岐口１０の管内面に係止しうる位置に変位する（図６，７参照）。抜け止め部７４を変位させるのに必要な力は、シール部材２０の圧縮に対する抵抗力よりも小さいため、この段階ではシール部材２０は圧縮されない。
【００３４】
抜け止め部７４を拡張させたら、図１３のように連結具１４を解除して操作機具３を後方に移動させる。このとき、抜け止め部７４が分岐口１０の管内面に係止し、それにより密栓装置２が軸方向に位置決めされるとともに、分岐口１０の端面にシール部材２０が対向する。その後、ブレーキ１５によって主軸３１を固定し、密栓装置２を安定させる。バー３３の向きと密栓装置２の向きとの関係を予め定めておけば、管内でのシール部材２０の向きを把握できて都合がよい。
【００３５】
次に、ハンドル３４の操作により中軸３２を回転し、密栓装置２の軸部材４を再び回転させる。軸部材４は本体部材７と拡張部材５を介して軸方向に位置決めされているため、雄ねじ部４１と雌ねじ部６２との作用によって押圧部材６が前方に移動する。これにより、図１４のように外筒部６３が突出部７３に近付いて、それらの間に介在するシール部材２０が圧縮される。圧縮されたシール部材２０は外周側に拡張変形し、分岐口１０の端面に押し当たって、密栓装置２と分岐口１０との隙間を密封する。
【００３６】
上記のように、抜け止め部７４の変位もシール部材２０の圧縮も、軸部材４の回転によって操作できる。このため、密栓装置２によって分岐口１０を密栓するに際しては、装置自身の軸方向への移動と、ハンドル３４の操作による中軸３２の回転のみで事足り、操作機具３の操作が簡便化される。よって、密栓装置２によれば、分岐口１０を密栓できるとともに、取り扱いが容易で作業を簡単にできる。また、この密栓装置２は汎用性にも優れる。
【００３７】
分岐口１０を密栓したら、ブレーキ１５による主軸３１の固定を解除するとともに、プランジャ３５による規制を解除し、密栓装置２から操作機具３を取り外す。このとき、中軸３２の位置を固定したまま主軸３１を少し後退させることで、押圧部材６から筒状部８０を離脱させ、次いで軸部材４の後端部４２から連結部９０を離脱させることができる。そして、仕切弁１２と合フランジ１３を撤去し、分岐口１０に密栓装置２を残置させた状態で、図１５のように蓋１６を被せて作業を終了する。
【００３８】
諸般の事情により密栓した分岐口１０を再び利用する場合には、上記の手順を逆に行えばよい。即ち、蓋１６を取り外して仕切弁１２や合フランジ１３を接続し、密栓装置２に連結した操作機具３を操作して、シール部材２０の圧縮を解除するとともに、分岐口１０の管内面に係止しない位置に抜け止め部７４を変位させ、分岐口１０から密栓装置２を取り出せばよい。上記と同様に、シール部材２０の圧縮解除も抜け止め部７４の変位も、軸部材４の回転によって操作される。
【００３９】
［別実施形態］
（１）前述の実施形態では、割りＴ字管１１で包囲された水道管１に穿設した分岐口１０を密栓する例を示したが、本発明はこれに限られず、例えば一体構造のＴ字管に対して、その分岐口を密栓する場合にも適用できる。また、Ｔ字状に分岐する流路に限られず、十字状など他の形状で分岐する流路の分岐口にも適用できる。
【００４０】
（２）前述の実施形態では、ガイド突起５４が拡張部材５に設けられ、それに嵌合するガイド溝７６が抜け止め部７４に設けられる例を示したが、これらは逆でも構わない。したがって、軸方向に対して傾斜して延びるガイド溝を拡張部材に設け、それに嵌合するガイド突起を抜け止め部に設けてもよい。ガイド突起とガイド溝の形状は、本発明の趣旨を逸脱しない範囲内で種々の改良変更が可能である。
【００４１】
（３）図１６の例では、押圧部材６の外筒部６３が、シール部材２０に対向する前方外筒部６３ａと、その後方に位置する後方外筒部６３ｂとに分割され、これらは相対的に回転可能に接している。この場合、密栓装置２を組み立てる際に、本体部材７に対して押圧部材６を相対的に回転させてもシール部材２０を捩じることがなく、外筒部６３の外周面からシール部材２０が飛び出る不具合を防止できる。本体部材７に対する押圧部材６の相対的な回転は、例えば鉤形突起７８を通過孔６５に引っ掛けるときに行われる。前方外筒部６３ａは、例えば樹脂により作製される。
【００４２】
（４）本発明の密栓装置は、水道管を更新する工事で分岐管を撤去する場合に限らず、その他の事情により流体管の分岐口を密栓する場合において適用できる。また、流体管としては水道管に限定されるものではなく、水以外の各種の液体や気体などの流体に用いる流体管に適用できる。
【符号の説明】
【００４３】
１      水道管（流体管の一例）
２      密栓装置
３      操作機具
４      軸部材
５      拡張部材
６      押圧部材
７      本体部材
１０    分岐口
２０    シール部材
４１    雄ねじ部
５３    側板部
５４    ガイド突起
６１    頂板部
６２    雌ねじ部
６３    外筒部
６４    鍔部
６５    通過孔
６６    凹部
７１    軸孔
７２    内筒部
７３    突出部
７４    抜け止め部
７６    ガイド溝
７７    支持孔
７８    鉤形突起
【図１】
2014134223.tif 000003
【図２】
2014134223.tif 000004
【図３】
2014134223.tif 000005
【図４】
2014134223.tif 000006
【図５】
2014134223.tif 000007
【図６】
2014134223.tif 000008
【図７】
2014134223.tif 000009
【図８】
2014134223.tif 000010
【図９】
2014134223.tif 000011
【図１０】
2014134223.tif 000012
【図１１】
2014134223.tif 000013
【図１２】
2014134223.tif 000014
【図１３】
2014134223.tif 000015
【図１４】
2014134223.tif 000016
【図１５】
2014134223.tif 000017
【図１６】
2014134223.tif 000018